(57)【特許請求の範囲】
【請求項１】
一端から直線状に伸びた箇所と、他端から直線状に伸びた箇所とを具備し、前記一端から直線状に伸びた箇所と前記他端から直線状に伸びた箇所との間隔を弾性的に変更可能で、ＦＰＣに形成された孔部に、前記一端から直線状に伸びた箇所および前記他端から直線状に伸びた箇所が挿入された際、前記孔部を拡開方向に付勢するバネ部を有し、
前記挿入された際、前記一端から直線状に伸びた箇所に形成された押え部が、前記孔部の周縁部の一部を前記一端側に押し付けると共に、前記押え部の前記一端側の根本に形成された切欠部が、前記周縁部の一部の先端を収容することを特徴とする端子。
【請求項２】
前記孔部の周縁部に形成されたランドの一部が、前記押え部の前記一端側を向いた面および前記切欠部の前記一端側を向いた面の両方に圧接していることを特徴とする請求項１に記載の端子。
【発明の詳細な説明】
【技術分野】
【０００１】
本発明は、ＦＰＣに接続される端子に関する。
【背景技術】
【０００２】
プリント基板に対しては、半田接合時に電子部品に熱の影響が及ぶのを防止するため、下記の特許文献１，２に記載のように、半田接合を行わずに端子接続を行うことが考えられている。
【０００３】
下記の特許文献１の電子機器は、カメラモジュールの突起電極に拡径した係止部を備えている。基板には、大径部と小径部とが並んで連通した貫通孔が形成され、貫通孔の周囲には端子が形成されている。カメラモジュールは、突起電極の係止部が貫通孔の大径部に挿入された後、係止部が小径部内に進入するよう位置合わせされて基板に実装される。突起電極と端子とは、係止部が小径部の裏面に係止されることで接触する。
【０００４】
また、下記の特許文献２では、シート状配線ケーブルの導体が挿入されたプリント基板のスルーホールに、接続具の圧入バネ部を圧入し、圧入バネ部の弾性復元力で導体をスルーホールの内面に押しあてている。
【先行技術文献】
【特許文献】
【０００５】
【特許文献１】特開２０１０−２７４０４号公報
【特許文献２】特開２００２−１２４７４７号公報
【発明の概要】
【発明が解決しようとする課題】
【０００６】
特許文献１の方法では、突起電極を貫通孔の大径部に挿入した後、係止部が小径部内に進入するようカメラモジュールの位置決めを行う必要があり、接続作業に手間がかかった。また、特許文献２の方法では、シート状配線ケーブルの導体をスルーホールの内面に押し当てるために接続具を用いなければならず、接続作業の手間もかかった。
【０００７】
本発明は斯かる課題に鑑みてなされたもので、半田接合を行わずＰＦＣに簡単に接続できる端子を提供することを目的とする。
【課題を解決するための手段】
【０００８】
このような目的を達成するために、本発明の端子は、一端から直線状に伸びた箇所と、他端から直線状に伸びた箇所とを具備し、前記一端から直線状に伸びた箇所と前記他端から直線状に伸びた箇所との間隔を弾性的に変更可能で、ＦＰＣに形成された孔部に、前記一端から直線状に伸びた箇所および前記他端から直線状に伸びた箇所が挿入された際、前記孔部を拡開方向に付勢するバネ部を有し、
前記挿入された際、前記一端から直線状に伸びた箇所に形成された押え部が、前記孔部の周縁部の一部を前記一端側に押し付けると共に、前記押え部の前記一端側の根本に形成された切欠部が、前記周縁部の一部の先端を収容することを特徴とする。
また、本発明は、前記孔部の周縁部に形成されたランドの一部が、前記押え部の前記一端側を向いた面および前記切欠部の前記一端側を向いた面の両方に圧接していることを特徴とする。
【発明の効果】
【０００９】
本発明によれば、孔部の周縁部に押え部が係合するまで挿入してから逆方向に移動させるという簡単な作業で、孔部の周縁部に切欠部を嵌合させ、孔部の周縁部に形成されたランドに端子を接続させられる。
【図面の簡単な説明】
【００１０】
【図１】本発明の一実施形態の端子の接続構造を示す分解斜視図である。
【図２】図１の端子を示す図である。
【図３】図１の端子をＦＰＣに接続する方法を示す側面図である。
【図４】図１の端子をＦＰＣに接続する方法を示す側面図である。
【図５】本発明の一実施形態の端子の接続構造を示す斜視図である。
【発明を実施するための形態】
【００１１】
以下、図面を参照して、本発明の一実施形態を説明する。
【００１２】
図１に示す端子１は、ＦＰＣ２の孔部２１に挿入され、孔部２１の周縁に形成されたランド２２に接続される。ランド２２は、孔部２１の周縁部２１１の表面に形成されている。端子１は、方形の断面形状を有した棒状体の中央部を、Ｎ字状に湾曲させて形成されている。
【００１３】
端子１のＮ字状に湾曲した部分は、図２の矢印方向に伸縮するバネ部１１を構成している。図２に示すバネ部１１の伸縮方向の長さａ−１は、図１に示す孔部２１の同方向の長さｂよりも長くなっている。
【００１４】
バネ部１１における端子１の一端から直線状に延びた箇所には、薄肉部１２、押え部１３、及び切欠部１４が形成されている。押え部１３は、バネ部１１の伸縮方向を向いた端子１の側面に形成されており、端子１の一端と反対側に向けて平板状に延びている。
【００１５】
切欠部１４は、押え部１３における端子１の一端側の根元に開口しており、押え部１３の形成面の幅方向に沿ってスリット状に延びている。押え部１３と切欠部１４とは、端子１の一端側を向いた面を面一にさせている。薄肉部１２は、切欠部１４と反対側の押え部１３の根元から、端子１の他端側に延びている。
【００１６】
端子１は、図１に矢印で示すように、端子１の一端側からＦＰＣ２の孔部２１に挿入されて、バネ部１１を収縮させ、孔部２１をバネ部１１により拡開方向に付勢する。端子１は、図３に示すように、孔部２１の周縁部２１１が、押え部１３に乗り上げて係合するまで孔部２１に挿入される。押え部１３が孔部２１の周縁部２１１に係合すると、孔部２１の周縁部２１１は裏面側に撓む。
【００１７】
その後、端子１は、図４に矢印で示すように、孔部２１から引き抜く方向に移動させられる。これに伴い、端子１の一端側に屈曲した孔部２１の周縁部２１１は、端子１の一端側を向いた押え部１３の一面から切欠部１４の一面に移動して、切欠部１４内に進入する。これにより、図５に示すように、ＦＰＣ２の孔部２１に挿入された端子１が、孔部２１の周縁部のランド２２に接続される。
【００１８】
孔部２１の周縁部２１１は、図４に示すように、バネ部１１の付勢により切欠部１４に先端を嵌合させて、端子１の他端側への移動を規制する。また、孔部２１の周縁部２１１は、押え部１３に係合して端子１の一端側への移動を規制している。
【００１９】
また、孔部２１の周縁部２１１が裏面側に屈曲して表面側に弾発力を働かせており、孔部２１の周縁部２１１の表面に形成されたランド２２が、端子１の一端側を向いた切欠部１４及び押え部１３の一面に圧接している。これにより、端子１とＦＰＣ２とが、電気的に接続されている。
【００２０】
上述したように、本実施形態によれば、ＦＰＣ２の孔部２１に端子１が挿入されると孔部２１の周縁部２１１に押え部１３が係合し、その後端子１が逆方向に移動すると、押え部１３が係合した孔部２１の周縁部２１１に、バネ部１１の付勢で切欠部１４が嵌合する。このため、孔部２１の周縁部に押え部１３が係合するまで挿入してから逆方向に移動させるという簡単な作業で、孔部２１の周縁部２１１に切欠部１４を嵌合させ、押え部１３及び切欠部１４にランド２２を電接させられる。
【００２１】
なお、上記実施形態では、端子１のＮ字状に湾曲した部分でバネ部１１が構成されている場合について説明したが、ＦＰＣ２孔部２１に挿入されて収縮し、孔部２１を拡開方向に付勢するのであれば、バネ部１１の構成は任意である。
【００２２】
また、バネ部１１が付勢した孔部２１の周縁部２１１に係合するのであれば押え部１３の形状も任意であり、平板状に形成されている必要はない。また、端子１の形状も断面方形状である必要はなく、円形状に形成されていてもよい。また、端子１は、ＦＰＣ２に接続後にハウジングに取り付けても、接続前にハウジングに取り付けてもよい。
【００２３】
また、押え部１３が係合した孔部２１の周縁部２１１にバネ部１１の付勢で嵌合するのであれば、切欠部１４の形状も任意である。例えば、上記実施形態では、切欠部１４が押え部１３の形成面から押え部１３による孔部２１の周縁部２１１への係合方向に延びている場合について説明したが、端子１の軸心に直交する方向に延びていてもよい。
【符号の説明】
【００２４】
１          端子
１１        バネ部
１２        薄肉部
１３        押え部
１４        切欠部
２          ＦＰＣ
２１        孔部
２１１      周縁部
２２        ランド
【図１】
0005785785.tif 000002
【図２】
0005785785.tif 000003
【図３】
0005785785.tif 000004
【図４】
0005785785.tif 000005
【図５】
0005785785.tif 000006